(57)【要約】      （修正有）【課題】エジェクタアームがジャミングを起こしにくい、快適で長寿命のホルダー操作を提供する。【解決手段】カード用ホルダーであって、少なくとも３枚のカードの山の周りにしっかりと適合し、そしてカードを位置決めしそして取り除くための少なくとも１つのカード開口部を備える、容器を有し、ここで容器内のカード開口部の反対側にカード排出機構を備え、それによりカードはカード開口部を通って容器から部分的にスライドされることができ、カード排出機構は、容器の中の第１と第２の位置の間を移動し、そして移動の間にカードを容器から部分的に強制的に排出させるように設計される。ホルダーは、カードの山に係合しそしてカードを容器から強制的に排出させる間のカード排出機構の動作不良を防止するための機構を有し、好適には例えば動作不良の要素が十分なギャップを維持することにより、動作不良の要素が反ることを可能にする機構を有する。【選択図】図７
2018134436.tif 000002
【特許請求の範囲】
【請求項１】
カード用ホルダーであって、
少なくとも３枚のカード（２）の山の周りにぴたりと適合し、前記カードの寸法とほぼ同じ縦横の長さを有する対向する１対の主側面（４）と前記主側面を隔てる対向する一対の副側面とを有し、それにより前記カードの山が４つの側面にしっかりと収まり、そしてカードを配置しそして排出するための少なくとも１つのカード開口部（３）を備える、平らな箱形状の容器（１）を有し、
ここで前記容器内の前記カード開口部（３）の反対側にカード排出機構を備え、それにより前記カードは前記カード開口部（３）を通って前記容器から部分的にスライドされることができ、前記カード排出機構は自由端部（５）と搭載位置（１７）を有するエジェクタアームを備え、そして前記エジェクタアームは前記容器の中で第１と第２の位置の間を移動し、そして前記移動の間に前記カードの山を前記容器から部分的に強制的に排出させるように設計され、ここにおいて前記エジェクタアームはその前記第２の位置では前記ホルダー内で対角線方向に伸長し、一方前記第１の位置では前記エジェクタアームは、前記カードが前記ホルダーから排出される前記カード開口部（３）と反対側の前記ホルダーの外部側面または端部に対して平行に伸長し、そして前記エジェクタアームは前記カードの山との係合のための階段状の起伏形状（１９）を備え、それにより前記カードの山を前記ホルダーから押し出し、前記第２の位置では部分的に前記ホルダーから互い違いに偏位して突出するカードの山が現れ、一方前記第１の位置では相互に整列しまとまったカードの山が前記容器内に完全に包含され、そして前記容器の内側に、前記容器内のそれぞれの個別のカードの側面の端部に摩擦力を印加する摩擦要素が配置され、前記摩擦要素は、前記カードの山の中の全てのカードに同時に係合するために十分な幅と寸法を有し、そして前記ホルダーは前記エジェクタアームのジャミング（詰まりによる停止）を防止するための特徴を有し、前記カードの寸法はＩＳＯ７８１０およびＩＳＯ７８１３に準拠する、カード用ホルダーにおいて、
前記ジャミングを防止するための特徴は、前記エジェクタアームが前記カードの山に係合しそして前記カードの山を前記容器から排出する間の、厚みと平面性におけるカードの不完全性に起因する前記エジェクタアームのジャミングを防止するように設計され、前記ジャミングを防止するための特徴は、前記エジェクタアームの長手方向の中間領域にギャップ（８）が存在し、一方前記中間領域の長手方向の両側にはギャップが存在しないことを提供することにより、前記エジェクタアームが前記中間領域においてその長手方向に沿って反り、前記中間領域の長手方向の両側においてはこのような反りが無いことを許容されることにより獲得され、前記ギャップ（８）は前記エジェクタアームの窪みにより提供され、それにより前記エジェクタアームが前記中間領域において前記容器の一方の前記主側面から離れかつ対向する他方の前記主側面に向かう方向に反ることが許容され、そして前記ホルダーは、前記エジェクタアームの前記中間領域が、一方の前記主側面から離れかつ対向する他方の前記主側面に向かう方向に少なくとも０．２ミリメートル反ることができ、そして前記ギャップ（８）の領域は、カードの山を互い違いな態様で排出するための前記起伏形状（１９）を備える前記エジェクタアームの領域と部分的に重なり、そしてまた前記エジェクタアームが前記ホルダーの本体に搭載される位置（１７）に向かって、前記起伏形状を備える領域を超えて、少なくとも５ｍｍの距離伸長する、
ことを特徴とするカード用ホルダー。
【発明の詳細な説明】
【技術分野】
【０００１】
本発明は、カードまたは他の平らな又はプレート状物体をホルダーから駆出または排出する装置（以下では「エジェクタ」とも呼ばれる）を備えるカードホルダーであって、カードはホルダー内にしっかりと収まり、ホルダーはカードまたはカードの山に類似した形状で、寸法がそれよりわずかに大きい空洞を有する、カードホルダーに関する。
【背景技術】
【０００２】
従来技術は所望のカードをホルダー内に置かれた山から容易に選択するという課題に取り組むために設計されたカード用ホルダーを開示している。ＥＰ−Ａ０２８７５３２（特許文献１）は扁平な箱又はスリーブの形状のホルダーを開示し、カードの山はその中にしっかりと収まる。この容器は内部に枢動エジェクタアームを有し、それは、ホルダーの壁の中の細長い曲面開口部を通って突出するフィンガーボタンの手段により枢動可能であり、その結果カードの山が外側にスライドする。エジェクタが起伏した輪郭を備え、それぞれのカードがエジェクタアームの異なる端部と係合するため、カードは互い違いに偏位した山として排出される。
【０００３】
スイス特許ＣＨ７０２９１９Ｂ１（特許文献２）は同様のカードホルダーを開示している。国際特許出願ＷＯ２０１０１３７９７５（特許文献３：発明者Ｖａｎ  Ｇｅｅｒは本出願と同一）も、部分的にカードホルダーから突出した互い違いに偏位したカードの山を提供する手段を持つカードホルダーを開示している。米国特許ＵＳ５７１８３２９（特許文献４）は両端が開いたスリーブ状のカードホルダーを開示している。カードエジェクタは無い。
【０００４】
これら全ての従来技術のホルダーは、毎日の使用の間にエジェクタアームがジャミング（詰まりによる停止）を起こしやすい。
【先行技術文献】
【特許文献】
【０００５】
【特許文献１】欧州特許出願公報  ＥＰ−Ａ０２８７５３２
【特許文献２】スイス特許ＣＨ７０２９１９Ｂ１
【特許文献３】ＷＯ２０１０１３７９７５
【特許文献４】米国特許５７１８３２９
【発明の概要】
【０００６】
本発明の目的は多様である。１つの局面では、目的はエジェクタアームがジャミングを起こしにくいカードホルダーである。もう１つの局面では、目的は快適で、単純で正確な長寿命のホルダー操作を提供する。他の局面は明細書、図面または請求項から学習することができよう。２つ以上の局面は組み合わせることができる。
【０００７】
好適には本発明は、部分的にカードホルダーから突出した、互い違いに偏位したカードの山が提供されるような、完全なカードの山を排出するカードホルダーに向けられている。あるいは、カードの山が部分的にカードホルダーから突出し、ここでカードは互い違いに偏位した態様で提供され、一方容器内に完全に収容された場合、カードは整列される（言い換えればカードは互い違いに偏位しない）こと、を提供するようにエジェクタ装置が設計される。カードを互い違いに偏位した態様で提示することにより、カードは容易に個別に識別され、ユーザの手の２本の指により山から個別に取り出されることができる。好適にはカードホルダーは、通常の日常的使用の間にカードホルダーが受ける一般的な負荷に関して堅くて曲がらない。
【０００８】
本発明によれば、この目的はエジェクタアームが反る、好適には対向する１対の主側面の一方に向かった、かつ他方の主側面から離れた方向に反ることを可能にすることにより得られる。好適なカードホルダーの設計では、エジェクタアームが少なくとも０．２ｍｍ、好適には少なくとも０．３５ｍｍ、最も好適には少なくとも０．５ｍｍ反ることができ、これらの値は組み立てられるカードホルダーの標準的な製造公差に上乗せされる。言い換えれば、動作位置にあるエジェクタアームが関連するホルダーの主側面の関連する表面により安定的に支持された場合、このような寸法が存在するべきである。好適な実施形態では、このような反りは、十分な前記寸法（少なくとも０．１ｍｍ、または０．３５ｍｍ、または０．５ｍｍ）のギャップをエジェクタアームの関連部位とホルダーの関連する主側面との間に提供することにより可能となり、それによりエジェクタアームは、それが反る時にそのギャップを出たり入ったりすることが出来る。
【０００９】
このような反りを可能にするため、ホルダー本体に便利な特徴、例えば関連する主側面の内側にくぼみを与え、エジェクタアームが反るときにその凹部への出入りを可能にすることができる。しかし、ホルダー本体に対しなめらかで水平で平坦な主側面の内部表面を提供することは、例えば押し出し成型による生産の容易さ、および／または装入されたカードの損傷を防ぐために好ましい。したがって、反りを可能にする便利な特徴をエジェクタアームに与えることが望ましい。
【００１０】
好適には、エジェクタアームはその長手方向に沿った中間領域において反るように設計され、この中間領域の長手方向の両側にはこのような反りは存在しない。ある実施形態では、これはこの中間領域では上記ギャップが存在し、一方中間領域の長手方向の両側ではギャップが存在しないようにすることにより得られる。実際にはこれは、関連するホルダー主側面に面するくぼみをこの中間領域に設けることにより得られ、このような窪みは所望のギャップを提供する。有利には、このような窪みは、動作中の、負荷のかからない位置にあるエジェクタアームがホルダー主側面の平らな表面により支持されている場合は、その中間領域はそのホルダー主側面と上記ギャップを維持し、一方その中間領域の長手方向の両側ではエジェクタアームは支持領域でホルダー主側面の上にもたれかかる。従ってエジェクタアームが負荷をかけられて主側面に向かって反る場合、その中間領域は上記ギャップに入り、ギャップを狭める。自明なことに、このような支持領域はそのホルダー主側面の関連する表面を横切ってスライドするように設計される。
【００１１】
好適には、上記中間領域は少なくとも部分的に、または完全に、カードの山を互い違いに偏位した態様で排出するための特徴、例えば起伏形状、を備える、エジェクタアームの領域と少なくとも部分的に重なる。ある実施形態では、上記中間領域は上記起伏形状を備える領域と部分的に重なり、そしてまた上記起伏形状を備える領域を超えて、好適にはエジェクタアームがホルダー本体に搭載される位置に向かって、ある距離、例えば少なくとも５ｍｍ、好適には少なくとも９ｍｍ、より好適には少なくとも１２ｍｍだけ伸長する。
【００１２】
【００１３】
【００１４】
好適な発展的形態では、このような反りは、好適にはカードホルダーの対向する一方の主側面に向かい、そして他方の主側面から離れる方向での柔軟性をエジェクタアームに加えることにより促進される。好適には、このような柔軟性は、好適にはカードホルダー本体にエジェクタアームが搭載される位置と、カードとの係合のためにエジェクタアームに提供される起伏形状との間の領域における薄い壁厚により得られる。好適には、壁厚は、起伏形状とホルダー本体への搭載位置との間の全ての領域において小さい。実際には柔軟性は、自由端部に主側面方向の１キログラムの力の負荷が掛けられ、かつ、エジェクタアームがしっかりと搭載点においてクランプされる場合、動作可能に搭載されるエジェクタアームの自由端部が少なくとも１ｍｍ、好適には少なくとも３ｍｍ、より好適には少なくとも５ｍｍ主側面方向に反る。
【００１５】
詳細にはホルダーはクレジットカード（及びクレジットカードと同等の寸法の他の物品、以下「カード」と呼ぶ）を受け入れ、そして排出するように設計され、ここで好適には例えば少なくとも３枚、４枚または５枚のカードがホルダー内に収容され、ここでさらに好適には、山の中のカードは直接相互に重なり、または隣接し、言い換えれば、更なる物体が隣接するカードの間に存在せず、または存在する必要が無い。ホルダーは好適には、２組の実質的にまたは完全に閉鎖されそして固定された対向する側面を有し、１つの側面の組はカードの寸法にほぼ等しい長さと幅を有し、（「主側面」とも呼ばれる）、そしてこの組は他の側面の１組（「副側面」とも呼ばれる）により離され（山の厚みの境界を定める）、それによりカードの山はこれら４つの側面の間にしっかりと収まる。
【００１６】
好適には、これら側面は壁厚が薄く、および／または堅い、平らな箱形状の容器を提供する。残りの２つの対向する側面の１組では、一方の側面（「底部」とも呼ばれる）が永久に実質的にまたは完全に閉鎖され、そして他方の側面（「頂部」とも呼ばれる）は開放されているが、しかし例えば蓋により一時的に閉鎖されてもよく、それにより、ホルダーはただ１つだけの開放側面を有し、そこを通ってカードがホルダーを出入りできる。このようにカードホルダーは閉鎖底部を持つ堅い平らな箱形状の容器を提供する。
【００１７】
好適には、カードホルダーは頂部側面を蓋で閉めなくてもカードをホルダー内に維持する手段、例えばカードの薄い側面に係合する、例えば国際特許出願ＷＯ２０１０１３７９７５（特許文献２）に記載のような摩擦手段を備えてもよい。
【００１８】
エジェクタはエジェクタ要素（以下では「アーム」とも呼ばれる）を有し、それはカードホルダー内の第一と第２の位置（好適には、それぞれ引き込み位置と伸長位置）の間で移動し、そしてカードの山に係合し、好適には、カードの端部に係合し、カードの山をホルダーから押し出す。一方カードはカードの主表面に平行な面内を移動し、好適には、カードは（伸長位置にあるエジェクタ要素により）カードホルダーから部分的に、階段状または互い違いに偏位して突出する。
【００１９】
カードを階段状に提供または排出する目的のため、エジェクタ要素は、好適にはカードの厚みと何らかの関係がある起伏形状を好適には備え、それによりエジェクタ要素は複数の間隔の開いた特徴的構造を有し、好適には直線に沿って配置され、１つの特徴的構造はカードの山からの１枚のカードに係合するように設計され、それにより好適には、カードホルダー内のエジェクタ要素の動きにより、一枚のカードがエジェクタ要素と共に、ホルダー内の同じ山からのもう１枚のカードに比較して、外側にさらなる距離を移動する。１つの実施形態では、このような特徴的構造はエジェクタ要素における突起であり、突起のそれぞれは係合端部を提供し、ここにおいて好適には、突起はエジェクタ要素から異なる距離突出し、それによりそれぞれの係合面は異なるレベルに存在する。好適にはエジェクタ要素は、エジェクタ要素の引き込み位置において、カードがカードホルダー内に適合し、カードは相互に整列し、言い換えればきちんとした山を示す、ように設計される。
【００２０】
好適には、エジェクタアームの厚みは自由端部（言い換えれば、遠方端部または枢動点から遠方の端部、または、駆動手段が取り付けまたは搭載される端部と反対側の端部）から階段状に増加する。この階段状の厚みの増加は、カードの山を互い違いに偏位した態様で排出するための階段形状の特徴的構造を提供する。
【００２１】
伸長位置において、エジェクタアームは好適にはカードホルダー内で対角線方向に伸長する。引き込み位置ではエジェクタアームは、好適にはホルダーの外部側面または端部に平行に伸長し、それは好適にはカードがカードホルダーから排出される側面と反対側である。好適にはエジェクタアームは、第１と第２の位置の間を回転、または旋回、または折り返し、または蝶番式に動き、または枢動し、そのために好適にはエジェクタアームは、ピンまたは孔のような蝶番または枢動機構を備え、それによりエジェクタアームはカードホルダーに搭載される。選択肢として、移動的動きも可能である。
【００２２】
エジェクタアームの運動を提供するため、エジェクタはエジェクタアームに付属する駆動手段を有する。これはモータ式手段でもよいが、指操作ボタンなどの手動操作の駆動手段が好ましい。好適にはエジェクタアームおよび駆動手段は堅い態様で接続され、それにより駆動手段の動きは直接エジェクタアームに伝達され、そしてこれら部位は、例えば両方とも単一の、好適には堅い部材に統合されているため、共に１つの部位として動く。エジェクタアームおよび／または駆動手段は、例えばポリマーまたはプラスチックまたはそれらと同等の物質から作られる射出成型部品であってもよい。
【００２３】
好適にはエジェクタアームはカードホルダーの基部または底部を提供し、カードがカードホルダーの関連する側面から排出されるのを防止する。
【００２４】
所謂クレジットカードの形式では、主な寸法はＩＳＯ７８１０を満たし、厚さ及び丸みはＩＳＯ７８１３を満たす。この形式は異なる用途の多くのカードに使用されている：銀行カード、運転免許、ＩＤカード、会員カード、入場カード、割引カード、貯蓄カード等。
【００２５】
本発明は、クレジットカード形式のカードは、標準寸法の厚みを有するが、常に不可避の製造公差に起因する分散があるという教授に基づいている。また、カードは、あるべき姿に比べて、常に平らではなく、カードは使用により時間と共にゆがむ。現在公知のエジェクタアームを有するホルダーでは、このような不完全なカードに起因してジャミング（詰まりによる停止）が起こる。またホルダーの主壁の不完全な平坦さはジャミングを起こし得る。ジャミングはエジェクタ装置を操作するために増加した手動の力を必要とするか、またはエジェクタ装置が動かなくなるかのいずれかを引き起こし得る。
【００２６】
通常ジャミングの位置はカードを互い違いに偏位した態様で排出する手段の個別の特徴、例えば階段、に関係し、またこれらの特徴と関連する主側面との間に積層されたカードの数とタイプに依存する。従って、同じホルダーにおいて、ジャミングの位置は、ある時点では複数の階段のある階段であり、もう１つの時点では他の階段でありうる。そのため本発明に基づく反りの能力は、好適には少なくとも殆どの、または実質的に全ての階段に対して提供される。
【００２７】
カードエジェクタの特徴はユーザがカードの山を容器から部分的にスライドさせる機会を与える。これはユーザが１枚のカードを選び、そしてそれを容器から移動させる前の好ましい操作である。
【００２８】
本発明のカードホルダーの一部としてのカードエジェクタの１つの実施形態は、容器内の凹部から作られ、その凹部は指でカードの山をプッシュし、カードの山をカード開口部を通って容器から部分的に排出するのに十分な空間を提供する。
【００２９】
この凹部が３つの面を連続的に横切って伸長し、ここに第一の面は前面で、第２の面はカード開口部と反対側の底部面で、そして第３の面は前面と反対側の後面であり、一方前面の凹部は後面の凹部と比べて深い場合、カードの山を容器より押し出す指は、この押し運動を前面および後面に対して傾いた位置で終了し、それによりカードの山は階段状に容器から外にスライドされる。
【００３０】
階段状の山が容器から外にスライドされる場合、それぞれのカードは狭い端部を見せ、そしてユーザはどのカードがホルダー内に存在するのかを瞬時に視認することができる。またそのユーザはカードの山の中で容易に素早く所望のカードを選び、そしてそのカードを、カードが容器からスライドされた方向と同じ方向または逆方向に、手動で相互にスライドさせることによりそのカードを保管位置より取り去ることができる。
【００３１】
本発明のカードエジェクタの特徴の１つの実施形態は、なかんずく、階段状要素を有し、それは、ユーザにより、例えば回転または移動の手段により、カードの山に向かって容器に対して相対的に移動されることができる。ここで階段状要素の個別の階段は、その山の中の個別のカードに対しカード開口部の方向に力を印加し、その結果、カードの山は階段形状で外にスライドする。階段はカードの厚みに平行に測定される厚みと、カードの厚みに垂直に測定され、カードが容器から階段形状でスライドする場合のカードが相互にスライドする度合いを決定する、間隔とを有する。
【００３２】
階段状要素の１実施形態では、厚さまたはレベル差異が、カード厚みにほぼ等しい、またはカード厚みの半分以下または１／３以下、の階段を有する。０．３ｍｍと０．５ｍｍの間の基準寸法として、例えば約０．４ｍｍは階段の好適な厚みである。何故ならば、約０．４ｍｍは、平坦なカードの厚さ（約０．８ｍｍ）の約半分に等しく、エンボス付カードの厚さ（約１．２ｍｍ）の約１／３に等しいからである。階段状要素がカードの山を押す場合、厚さ０．８ｍｍの平坦なカードは階段を１段飛び越し、エンボス付カードは２段飛び越し、これにより平坦なカードとエンボス付カードが混在したカードの山はきちんと排出されうる。最初と最後の段はこれに例外でもよく、そして、それらは例えば約０．８ｍｍの厚さを獲得してもよい。なぜならば、操作上、最初と最後の段はカードの厚さの半分に当接することは一般的に決して無いからである。
【００３３】
階段状要素は好適には、山の中のカードの数に少なくとも等しい数の階段を有し、より好適には山の中のカードの数の１．５倍の数の階段を有する（後者の場合）。ホルダーが少なくとも４枚または５枚のカードを含有するように設計される好適な実施形態では、階段状要素は好適には少なくとも４段または５段の階段を有し、あるいは少なくとも６段または８段の階段を有する。
【００３４】
階段の間隔は容器内に収容可能な最大カード数に依存する。階段状要素の最大長はホルダーにより制限され、そして階段の間の間隔はこの使用可能な長さに亘って分散している。カードの薄い山に対する容器内の階段状要素は、厚い山に比べて大きな間隔を得ることが出来る。階段の間の間隔が大きくなるほど、排出されたカードはより遠くに互い違いに偏位する。
【００３５】
本発明のカードホルダーのカード排出機能における移動型階段状要素の１つの実施形態は、リセット手段、例えばバネを備え、その効果は、この階段状要素が動作の終了後、常に直ちにそして自動的に最初の位置に戻り、それによりユーザは、部分的に露出したカードから選択を行う間に、障害なくカードをスライドさせて容器に戻すことができる。
【００３６】
カード内に電磁気的に保管された情報は、強い電磁放射場の影響により毀損する可能性がある。またＲＦＩＤチップを備えるカードは、適応した読み取り機の近くに置かれた場合無線により非接触で読み出される可能性がある。これらは電磁放射と容器内のカードとの間の起こり得る最も望ましくない相互作用の２つの事例である。これらの影響を除外する本発明のカードホルダーの１実施形態は、ガルバニック材料で出来た容器を有する。この発明の容器の形状は金属押し出し加工による製作に適しており、それにより適切なファラデーケージが作成される。
【００３７】
湿気やごみなどの外部からの影響をさらに防止する可能な１つの実施形態は、例えば枢動する蓋又はゴムのキャップなどの柔軟な部材により閉鎖可能な容器を有する。
【図面の簡単な説明】
【００３８】
本発明は図によってさらに理解される。
【図１】カードホルダーのエジェクタアームの動作を示す鳥瞰図である。
【図２】カードホルダーのエジェクタアームの動作を示す鳥瞰図および側面図である。
【図３】カードホルダーのエジェクタアームの動作を示す鳥瞰図および側面図である。
【図４】断面で示されるカードホルダー内に搭載される、エジェクタアームの２つの移動可能性を示す鳥瞰図である。
【図５】断面で示されるカードホルダー内に搭載される、エジェクタアームの２つの移動可能性を示す鳥瞰図である。
【図６】本発明のエジェクタアームの本願において好適な実施形態を示す側面図、平面図、および端面図である。
【図７】図６のエジェクタアームの詳細図である。
【発明を実施するための形態】
【００３９】
図１−３は図示される少なくとも３枚のカード（図では４枚）の山の周りにぴたりと適合するカードホルダーの容器の鳥瞰図であり、容器の２つの長手方向の末端の１つは、カードの出し入れのために開口しているためカード開口部と呼ばれる。「カードの山の周りにぴたりと適合する」とは、直角の角度のレンガに基づく主たる形状を意味する。しかしその形状は、例えば面取り部、丸み、リブ等を提供することにより、デザイン上または人間工学上の理由でもちろん異なってよい。
【００４０】
図１は空のカードホルダーと第１と第２の位置にあるエジェクタアームをそれぞれ示す。カードの山を互い違いに偏位する態様で排出するため、エジェクタアームから突出する異なるレベルにある係合面がはっきりと見える。またホルダーから外に突出し、エジェクタアームを駆動する指ボタンも見える。
【００４１】
図２は、整列され積層された４枚のカードで満たされたホルダーを示し、それぞれのカードの下側側面は第１の（引っ込んだ）位置にあるエジェクタアームの関連する係合面と整列されている。エジェクタアームのこの位置から始めて、エジェクタアームを第２の位置に移動（枢動）させることにより、カードは関連する係合面により押し込まれ、カードの山は部分的に排出される。それぞれの係合面はエジェクタアームの枢動点から異なる距離離れているため、それぞれのカードは異なる距離だけ移動し、それにより互い違いに偏位する排出されたカードの山が得られる。（図３に示す。ここではエジェクタアームは第２の位置にある。）
【００４２】
図４は階段状要素１６により提供されるカード排出機構を持つカードホルダーの断面図である。階段要素は、ユーザが容器の外側のアクチュエータ１８を介して、または階段要素１６の一部としての操作面１８ａに直接的に、力を枢動方向に（矢印に従って）印加した場合、軸１７の周りを枢動できる。階段要素１６は段からなり、ここでカード接触面１９はエジェクタアーム１６に面するカードの側面に力を印加できる。カード接触面１９は階段形状における段の厚み部分と見做すことができ、そしてこれら階段の高さはカードの公称厚さと同じかそれより小さく（約０．８ｍｍ）、それにより各階段は異なるカードに接触する。リセットバネ２０は、ボタン１８を離した後に階段要素１６がすぐに自動的に最初の（第１の）位置に戻ることを確実にする。
【００４３】
図５は図４の実施形態の可能な変化形を示し、そこでは階段要素１６は、カードがカード開口部３を通過して容器の外にスライドする方向（矢印で示される）に移動することができ、そしてそれはリセットバネ２０の手段により、操作部位１８を離した後に、すぐに自動的に最初の位置に戻ることができる。理解できるように、この実施形態では、カードの山はカードホルダーの中に完全にある場合にも、互い違いに偏位している。
【００４４】
図１−５より明らかなように、エジェクタアームの厚みは近傍端部（枢動点１７に近い側）から遠心端部５（自由端部または遠方端部）に向かって階段状に減少する。
【００４５】
ジャミング（詰まりによる停止）を防止するため、自由端部５が関連する主側面（言い換えれば近い方の主側面）に対して反るようにホルダー組立体を設計することは可能であるが、以下の設計がより好ましく、そして図６と７は本願において好適な実施形態を示す：
【００４６】
主側面の壁４はスムースで水平な平坦な内部表面を有し、そしてエジェクタアームは、長手方向に沿った中間領域６で反り、そしてこの中間領域６の長手方向の両側７ではこのような反りは存在しない、ように設計される。このためこの中間領域６は関連するホルダー主側面に面する窪み８を有し、このような窪み８は所望のギャップを提供する。ギャップ幅は、矢印８の方向に従って、窪みの底部と直近の主側面４との間の距離であるが、０．４ｍｍプラス標準公差である。図に示されるように、このような窪み８は、動作中の無負荷の位置にあるエジェクタアームが主側面４の平坦な表面により支持される場合、その中間領域６は上記のギャップ８をその主側面４の表面と維持し、一方この中間領域６の長手方向の両側７ではエジェクタアームは主側面４の表面の上に乗っかる。従ってエジェクタアームに負荷がかかり（矢印Ｆ）そしてエジェクタアームがその主側面４に向かって反る場合、中間領域６はそのギャップに侵入し、ギャップは小さくなる。
【００４７】
図に示すように中間領域６は起伏形状１９を持つエジェクタアームの領域と重なっており、そしてまた起伏形状１９を超えて、エジェクタアームがホルダー本体に搭載される搭載位置１７に向かってある距離だけ伸長している。
【００４８】
またエジェクタアームは中間領域６を備える側と反対側で、エジェクタアームの自由端部５と搭載位置１７の間に支持面２１を持ち、その支持面２１はスライドしながら関連する主側面４に係合する。その支持面２１は中間領域６の長さのほぼ半分、言い換えれば中間領域の長さの１／３と２／３の間に相当する距離だけ自由端部５から離れて位置する。
【００４９】
エジェクタアームのジャミングを引き起こす力（矢印Ｆ）は、山の中のカードの種類とカードの変形（エンボス、反り等）に依存して、通常支持面２１または起伏形状１９の任意の段に位置する。
【００５０】
従って、図６，７に示すエジェクタアームは、カードホルダーの１つの主側面４に面する２つの離れた第１支持面７と、その反対側の（カードホルダーの他の１つの主側面４に面する）単一の第２支持面２１を有する。第１支持面７は（反りのための）中間領域６の境界をそれらの間に定める。第２支持面２１は、長手方向に見て、２つの第１支持面７の間にある。第１と第２の支持面７、２１は関連するカードホルダー本体の主側面４を横切ってスライドし、そしてこのようにエジェクタアームはカードホルダー本体により安定的に案内される。
【００５１】
さらに、ギャップに入り込む中間領域６の反りは、カードホルダーの対向する主側面４の１方に向かった、そして他方の主側面から離れる方向での柔軟性をエジェクタアームに加えることにより促進される。このような柔軟性は、エジェクタアームがカードホルダー本体に搭載される位置１７とカードとの係合のためにエジェクタアームに提供される起伏形状１９との間の領域における薄い壁厚により得られる。図示されるように、壁厚は、起伏形状１９とホルダー本体への搭載位置１７との間の全ての領域において小さい。
【００５２】
図６は本発明の改良された柔軟性を持つエジェクタアームの図である。側面図にカードホルダーの対向する２つの主側面４の一部が断面図で示される。明らかに、エジェクタアームはこれら２つの主側面４の間にしっかりと収まるが、クリアランスは図の明確化のために誇張されている。破線１２は堅いエジェクタアームの当初の材料境界を示す。厚みを減らすことによりこの境界１２は境界９に変わり、その結果矢印Ｃで示されるように改善された柔軟性を持つ。したがって、中間領域６による直近の主側面４方向への反りが促進される。
【００５３】
ギャップ８の中への反りの結果、起伏形状１９は、主側面４により支持される領域７の中の起伏形状１９の一部を除いて（この実施形態では自由端部５はこの領域７に属する）、その領域７を備える主側面と反対側の主側面４から離れる方向に移動することができる。この反りはカードの山を排出する間のジャミング（詰まりによる停止）を防止する。
【００５４】
異なる実施形態もまた本発明に属する。本明細書に記載されたものと異なる特徴は、異なる様式で組み合わせることができる。いくつかの特徴の異なる局面は相互に交換可能である。記載されまたは図示される全ての特徴はそのまま、または任意の組み合わせで、また請求項または参照における構成とは独立して、本発明の主題を提供する。
【図１】
2018134436.tif 000003
【図２】
2018134436.tif 000004
【図３】
2018134436.tif 000005
【図４】
2018134436.tif 000006
【図５】
2018134436.tif 000007
【図６】
2018134436.tif 000008
【図７】
2018134436.tif 000009